(57)【要約】      （修正有）【課題】ウォーターサーバーのボトルとの接続部に溜まった水等を取り除き、簡単に隅々まで綺麗に掃除できるようなウォーターサーバー掃除用スポンジを提供する。【解決手段】ウォーターサーバー掃除用スポンジ１は、円柱状の本体２の中央に円柱状の開口３を設けたものである。ウォーターサーバー掃除用スポンジ１の本体２の大きさは、図２に示すようなウォーターサーバー１０の円筒形の接続部１１内に収まる大きさとする。この時、前記本体２の大きさを、スポンジを変形せさて円筒形の接続部１１内に挿入可能な範囲で、接続部１１よりも大きくすると、ウォーターサーバー掃除用スポンジ１を接続部１１内に入れた時に、本体２の外周側面が絶えず接続部１１の内周側面と接する状態となり、接続部１１の内周側面を簡単に綺麗に掃除することができるようになる。【選択図】図３
0003161378.tif 000002
【実用新案登録請求の範囲】
【請求項１】
中心に円柱状の開口を設けた円柱状のスポンジからなることを特徴とするウォーターサーバー掃除用スポンジ。
【考案の詳細な説明】
【技術分野】
【０００１】
本考案は、ウォーターサーバーのボトルとの接続部を掃除するために使用するウォーターサーバー掃除用スポンジに関する。
【背景技術】
【０００２】
近年、オフィスや一般家庭でウォーターサーバーの利用者が増加している。一般的なウォーターサーバーでは、飲料水等の入ったボトルをウォーターサーバーにセットし、ボトル内の飲料水をウォーターサーバーのタンクへと供給し、ウォーターサーバー内のタンクで冷水および温水とした後に、供給口から冷水および温水を供給する構造が用いられている（特許文献１参照）。
【０００３】
図２に示すように、ウォーターサーバー１０に使用するボトル２０は、飲料水を供給する口２１が円筒形で、キャップ２２が被せられており、前記キャップ２２の中央に挿入孔２３および弁２４が設けられ、前記挿入孔２３の弁２４を開くと飲料水が出てくる構造である。そのために、前記ボトル２０の口２１がセットされるウォーターサーバー１０の接続部１１は、前記口２１の形状に合わせた円筒形となっている。さらに、円筒形の接続部１１の中央には、前記ボトル２０の挿入孔２３に挿入され、弁２４を開けるための棒状の突出部１２が設けられており、前記突出部１２の内部には飲料水の通路が形成されており、ボトル２０内に挿入されると、前記突出部１２内の通路を通じて飲料水がウォーターサーバー１０のタンク１３へと供給される。
【先行技術文献】
【特許文献】
【０００４】
【特許文献１】特開２０１０−４２８５９号公報
【考案の概要】
【考案が解決しようとする課題】
【０００５】
ウォーターサーバーを使用している時に、ボトル２０の入れ替えの際等にボトルとの接続部１１に入った飲料水は流出せずに接続部１１に溜まっていく。接続部１１に溜まった水をそのままにしておくと細菌等が発生する可能性があるので、接続部１１を定期的に溜まった水を取り除き掃除する必要がある。しかしながら、上述の接続部１１は円筒形で中央が突出した特殊な形状であり、簡単には溜まった水等を取り除くことはできないという問題があり、また一般的な形状のスポンジ等では掃除するのに手間がかかり、また、隅々まで綺麗に掃除できないという問題があった。ボトル以外を用いる場合、例えば、飲料水等が入ったビニール袋を用いる場合でも、同様の形状の接続部が用いられている場合には、同様の問題が生じている。
【０００６】
そこで本考案は、ウォーターサーバーの円筒形の接続部に溜まった水を取り除き簡単に隅々まで綺麗に掃除できるように、ウォーターサーバーの接続部専用のウォーターサーバー掃除用スポンジを提供することを目的とする。
【課題を解決するための手段】
【０００７】
本考案のウォーターサーバー掃除用スポンジは、中心に円柱状の開口を設けた円柱状のスポンジからなることを特徴とする。
【考案の効果】
【０００８】
本考案のウォーターサーバー掃除用スポンジは、中心に円柱状の開口を設けた円柱状のスポンジからなることにより、簡単にウォーターサーバーの円筒形の、ボトルとの接続部に溜まった水等を取り除き簡単に隅々まで綺麗に掃除することが可能となり、ウォーターサバーを絶えず清潔に保つことができる。
【図面の簡単な説明】
【０００９】
【図１】本考案のウォーターサーバー掃除用スポンジの斜視図である。
【図２】ウォーターサーバーの上半分の概略断面図である。
【図３】（ａ）が、掃除をする前のウォーターサーバーの接続部の断面図であり、（ｂ）がウォーターサーバー掃除用スポンジで掃除をしている時のウォーターサーバーの接続部の断面図である。
【考案を実施するための形態】
【００１０】
以下に、図を用いて本考案のウォーターサーバー掃除用スポンジ１の実施形態について説明する。図１に示すのが、ウォーターサーバー掃除用スポンジ１の斜視図であり、図２に示すのが掃除の対象となるウォーターサーバー１０の上半分の概略断面図である。
【００１１】
本考案のウォーターサーバー掃除用スポンジ１は、円柱状の本体２の中央に円柱状の開口３を設けたものである。ウォーターサーバー掃除用スポンジ１の本体２の大きさは、図２に示すようなウォーターサーバー１０の円筒形の接続部１１内に収まる大きさとする。この時、前記本体２の大きさを、スポンジを変形せさて円筒形の接続部１１内に挿入可能な範囲で、接続部１１よりも大きくすると、ウォーターサーバー掃除用スポンジ１を接続部１１内に入れた時に、本体２の外周側面が絶えず接続部１１の内周側面と接する状態となり、接続部１１の内周側面を簡単に綺麗に掃除することができるようになる。
【００１２】
また、前記開口３の大きさは、接続部１１の中心に設けられた突出部１２が挿入できる大きさとする。この時、開口３をスポンジを変形させて突出部１２が挿入できる範囲で突出部１２よりも小さくすることで、ウォーターサーバー掃除用スポンジ１を接続部１１内に入れた時に、絶えず開口３の内面が突出部１２の外周側面と接する状態となり、突出部１２の外周側面を簡単に綺麗に掃除することができるようになる。
【００１３】
ウォーターサーバー掃除用スポンジ１の長さは、前記円筒形の接続部１１の深さよりも大きくすることで、上下に移動させることなく回転させるだけで接続部１１全体を掃除することができるようになる。
【００１４】
スポンジは一般的に変形可能な材質であるので、前記円筒形の接続部１１の大きさが異なる場合でも、ウォーターサーバー掃除用スポンジ１１よりも小さい接続部１１を用いている場合には、簡単に綺麗に掃除することができる。また、ウォーターサーバー１０の接続部１１がウォーターサーバー掃除用スポンジ１よりも大きい場合でも、ウォーターサーバー掃除用スポンジ１を接続部１１の内周側面へと押しつけるようにして使用すれば、十分に掃除することができる。そのために１種類のウォーターサーバー掃除用スポンジ１によって、様々な大きさの接続部１１を用いたウォーターサーバー１０に使用することができる。また、ウォーターサーバー掃除用スポンジ１の大きさを複数用意することで、様々な種類のウォーターサーバーに対応させることも可能である。
【００１５】
ウォーターサーバー掃除用スポンジ１の材質は、一般的な掃除用あるいはキッチン等で使用するスポンジに使用されているような従来のスポンジを用いるが、特に限定するものではない。接続部１１の水を取り除くためには、吸水性に優れた材質を用いることが好ましい。さらに、前記開口３内に挿入して固定する形で持ち手を設けて使いやすくすることも可能である。また、突出部１２の高さに合わせて、前記開口２を貫通させない形状とすることも可能である。そして、ボトル以外の、例えば飲料水等が入ったビニール袋を用いるウォーターサーバーのように、同様の形状の接続部を用いた様々なウォーターサーバーに、本考案のウォーターサーバー掃除用スポンジは使用することができる。
【００１６】
次に、本考案のウォーターサーバー掃除用スポンジ１の使用方法について説明する。図２（ａ）に示すような、ボトル２０を取り外したウォーターサーバー１０の円筒形の接続部１１内に、上方からウォーターサーバー掃除用スポンジ１を挿入すると、図２（ｂ）に示すような状態となる
【００１７】
この状態では、ウォーターサーバー掃除用スポンジ１の本体２の外周側面が接続部１１の内周側面と接しており、開口３の内面が突出部１２の外周側面と接しており、前記本体２の底面が接続部１１の底面と接した状態となっている。
【００１８】
この状態から、ウォーターサーバー掃除用スポンジ１を接続部１１内で突出部１２を中心として図２（ｂ）に矢印で示すように左右に回転させる。すると、ウォーターサーバー掃除用スポンジ１の本体の外周側面が接続部１１の内周側面を掃除し、開口３の内面が突出部１２の外周側面を掃除する。また、ウォーターサーバー掃除用スポンジ１を下方へと押しつけながら左右に回転させると、ウォーターサーバー掃除用スポンジ１の底面が接続部１１の底面を掃除する。
【００１９】
このように、ウォーターサーバー掃除用スポンジ１を用いると、接続部１１の３方向が同時に掃除できるので、スポンジに接続部１１に溜まった水等を吸収させ、簡単に、そして確実に円筒形の接続部１１内を隅々まで綺麗に掃除することができる。これにより、ウォーターサーバーを常に清潔に保つことで、衛生面で安心してウォーターサーバーを使用することが可能となる。
【符号の説明】
【００２０】
１    ウォーターサーバー掃除用スポンジ
２    本体
３    開口
１０  ウォーターサーバー
１１  接続部
１２  突出部
１３  タンク
２０  ボトル
２１  口
２２  キャップ
２３  挿入孔
２４  弁
【図１】
0003161378.tif 000003
【図２】
0003161378.tif 000004
【図３】
0003161378.tif 000005